(57)【特許請求の範囲】
【請求項１】
空気流入口および空気流出口を有する筐体を備え、屋内の遮蔽箇所に配設される紫外線殺菌装置であって、
前記筐体は内部に、
２００ナノメートル以上３００ナノメートル以下の波長範囲にピーク波長を有する紫外線を出射する紫外線殺菌灯と、
前記筐体の内壁と共に流入する空気の流路を形成し、気流の進行方向を変える少なくとも１以上の気流制御部材と、
前記筐体の内壁と前記気流制御部材によりに形成される筐体内壁面における前記気流が衝突する面に沿って配設される三次元繊維構造体と、
を備え、
前記三次元繊維構造体は、
ウィルスまたは細菌を捕集する空孔を備え、かつ、少なくとも前記紫外線殺菌灯が出射する紫外線を乱反射する表面を備えることを特徴とする、
紫外線殺菌装置。
【請求項２】
前記少なくとも１以上の気流制御部材が、
前記空気流入口の軸方向に対向する面を有する第一の気流制御板と、
前記空気流出口の軸方向に対向する面を有する第二の気流制御板と、
を備える、少なくとも２以上の気流制御部材であることを特徴とする、
請求項１に記載の紫外線殺菌装置。
【請求項３】
請求項１または２に記載の紫外線殺菌装置と、
天井、壁面または床に埋設され、かつ送風ファンを内設する筐体を備える風量装置と、
天井、壁面または床に埋設される筐体を備える吹出口と、
前記風量装置と前記紫外線殺菌装置との間に介設される第一のダクトと、
前記紫外線殺菌装置と前記吹出口との間に介設される第二のダクトと、
を備えることを特徴とする、
室内還流型紫外線殺菌装置。
【請求項４】
前記送風ファンの送風量が１時間あたり９０立方メートル以上であることを特徴とする、
請求項３に記載の室内還流型紫外線殺菌装置。
【発明の詳細な説明】
【技術分野】
【０００１】
本発明は、紫外線殺菌装置、および室内還流型紫外線殺菌装置に関する。
【背景技術】
【０００２】
空気感染による感染症の拡大を防ぐ手段として、マスクのような防護具を用いる手段のほか、原因となるウィルスや細菌などの微生物を無力化する手段が挙げられる。マスクの長時間にわたる着用は着用者に不快感を与えることもあるため、ウィルスや細菌などの微生物を死滅させることによる室内環境そのもの浄化が望まれる。
【０００３】
効率的に空気中のウィルスや細菌（以下「ウィルス等」とする。）を無力化（以下「殺菌」とする。）する手段として、紫外線により直接的に殺菌する手段や、紫外線でオゾンを発生させる手段、あるいは化学薬品の散布による手段が知られている。紫外線によりウィルス等を殺菌する手段を提供するものとして、例えば部屋の内部に設置可能な小型の空気清浄機などが知られている。
【０００４】
しかし、紫外線やオゾンは人体にも影響を与えるため、紫外線やオゾンが装置外に漏出しないことが求められる。また、紫外線殺菌装置を部屋の内部に設置した場合、紫外線殺菌装置そのものが居住空間を圧迫する。特に、大量の空気を処理可能な紫外線殺菌装置は装置が大型になる傾向がある。そして、建物の一室全体の空気の浄化を行う場合、そもそも小型の紫外線殺菌装置では処理能力が不足するなどの問題があった。また、このように大量の空気を処理するためには、効率的に紫外線を照射し、殺菌する手段が必要である。
【０００５】
これらの問題の改善策は種々提案されている。オゾンを発生する装置の場合、フィルタなどでオゾンを吸着処理し、装置外に排出しないものが開示されている。また、紫外線により直接的に殺菌する殺菌装置として、例えば、紫外線オゾンレスランプを備える滅菌ゾーンに、細菌を含む空気を通過させ、殺菌処理するものが開示されている（特許文献１）。そのほか、効率的に殺菌処理を行う方法として、空気をジグザグに循環させ、長時間にわたって紫外線を照射する方法（特許文献２）や、エアフィルタ用濾材に空気中を浮遊する微生物を捕集し、そこに紫外線を照射する方法（特許文献３）が開示されている。
【０００６】
しかしながら、建物の一室すべてを浄化するような、大量の空気の浄化処理を行う場合、フィルタを用いる方法ではフィルタ自体が気流の抵抗となるため、処理効率が著しく低下するという問題があった。
また、処理前の空気の流入部と、処理後の空気の流出部が近接する装置の場合、殺菌処理した空気の一部が再度装置に流入することになり、効率的ではない。さらに、建物の一室全体の殺菌・浄化を目的として大量の空気を処理する場合、大きな音が発生する可能性がある。
【先行技術文献】
【特許文献】
【０００７】
【特許文献１】特開平３−０３７０７０号公報
【特許文献２】特開昭６２−２４９６５４号公報
【特許文献３】特開２０２０−０４３９２０号公報
【発明の概要】
【発明が解決しようとする課題】
【０００８】
解決しようとする問題点は、処理すべき空気の流れ（気流）に直交する態様でフィルタを配設した場合、フィルタそのものが空気抵抗となるため、処理量が低下し、大量の空気を効率的に殺菌・浄化できない点である。また、屋内における装置の配置も考慮した効率的な空気浄化手段の提供が求められる。
【課題を解決するための手段】
【０００９】
本発明は、紫外線殺菌装置の筐体内に配設される三次元繊維構造体が、気流の進行方向に対向する筐体内壁面に沿って配設されることを最も主要な特徴とする。
三次元繊維構造体は、ウィルス等を捕集するとともに、紫外線殺菌灯からの紫外線を乱反射するため、当該三次元繊維構造体近傍で効率的に殺菌することを可能とする。
気流に直交する態様でフィルタを配設する場合と比較すると、本発明の紫外線殺菌装置は気流を阻害することなく、効率的に大量の空気の殺菌処理を行うことができる。特に、広い室内の空気殺菌を行う場合にその効果を発揮する。
【００１０】
本発明は、上記課題を鑑みてなされたものであり、以下の手段を採用している。
（１）請求項１の発明は、空気流入口および空気流出口を有する筐体を備え、屋内の遮蔽箇所に配設される紫外線殺菌装置であって、前記筐体は内部に、２００ナノメートル以上３００ナノメートル以下の波長範囲にピーク波長を有する紫外線を出射する紫外線殺菌灯と、前記筐体の内壁と共に流入する空気の流路を形成し、気流の進行方向を変える少なくとも１以上の気流制御部材と、前記筐体の内壁と前記気流制御部材によりに形成される筐体内壁面における前記気流が衝突する面に沿って配設される三次元繊維構造体と、を備え、前記三次元繊維構造体は、ウィルスまたは細菌を捕集する空孔を備え、かつ、少なくとも前記紫外線殺菌灯が出射する紫外線を乱反射する表面を備えることを特徴とする、紫外線殺菌装置を提供する。
（２）請求項２の発明は、前記少なくとも１以上の気流制御部材が、前記空気流入口の軸方向に対向する面を有する第一の気流制御板と、前記空気流出口の軸方向に対向する面を有する第二の気流制御板と、を備える、少なくとも２以上の気流制御部材であることを特徴とする、請求項１に記載の紫外線殺菌装置を提供する。
この場合、筐体内を流れる気流の流路が長くなるため、ウィルス等により多くの紫外線を照射することができ、殺菌効率が向上する。
（３）請求項３の発明は、請求項１または２に記載の紫外線殺菌装置と、天井、壁面または床に埋設され、かつ送風ファンを内設する筐体を備える風量装置と、天井、壁面または床に埋設される筐体を備える吹出口と、前記風量装置と前記紫外線殺菌装置との間に介設される第一のダクトと、前記紫外線殺菌装置と前記吹出口との間に介設される第二のダクトと、を備えることを特徴とする、室内還流型紫外線殺菌装置を提供する。
（４）請求項４の発明は、前記送風ファンの送風量が１時間あたり９０立方メートル以上であることを特徴とする、請求項３に記載の室内還流型紫外線殺菌装置を提供する。
この場合、時間当たりの空気処理量が多くなるため、広い室内の空気全体を効率よく換気し、殺菌処理を行うことができる。
【発明の効果】
【００１１】
本発明の紫外線殺菌装置は、気流の進行方向に対向する筐体内壁面に沿って配設される三次元繊維構造体により、効率的に大量の空気を殺菌・浄化できるという利点がある。特に、広い室内に存在するウィルス等を殺菌する場合にその効果を発揮する。
【図面の簡単な説明】
【００１２】
【図１】図１は本実施形態の紫外線殺菌装置１を示した図である。
【図２】図２は本実施形態における空気の流れを説明するための参考図である。
【図３】図３は本実施形態の室内還流型紫外線殺菌装置３０を示した図である。
【図４】図４は室内還流型紫外線殺菌装置３０の配置を示す参考図である。
【図５】図５は本実施形態の変形例１における紫外線殺菌装置１を示す図である。
【図６】図６は本実施形態の変形例２における紫外線殺菌装置１を示す図である。
【図７】図７は本実施形態の変形例３における紫外線殺菌装置１を示す図である。
【図８】図８は本実施形態の変形例４における紫外線殺菌装置１を示す図である。
【発明を実施するための形態】
【００１３】
本発明の実施形態を図面に基づいて説明する。以下の各実施形態では、同一又は対応する部分については同一の符号を付して説明を適宜省略する場合がある。また、以下に用いる図面は本実施形態を説明するために用いるものであり、実際の寸法とは異なる場合がある。
また、各図面において、図中に白抜きの矢印がある場合、当該白抜きの矢印は気流の方向を表す。
【００１４】
図１は、本実施形態に係る紫外線殺菌装置１を上面から見た断面図である。図１に示すように、空気流入口１０２から空気が流入する方向（紙面左方向）をｘ軸方向、紙面下方向をｙ軸方向、そして紙面に直交する方向で、裏面から表面に向かう方向をｚ軸方向とする。
【００１５】
なお、空気は不定形のものであり、局所的には三次元空間を自由に流動するものであるが、以下では説明を簡単にするために、空気が筐体１０の内壁と気流制御部材１８によって形成される導風路に従って流動するものとし、当該空気の流れをｘ軸、ｙ軸等の表現を用いて説明する。
【００１６】
（実施形態の概要）
図１に示すように、本実施形態の紫外線殺菌装置１は筐体１０を備える。そして、筐体１０内部に、紫外線殺菌灯１４と、気流制御部材１８（第一の気流制御板１８２、第二の気流制御板１８４）と、三次元繊維構造体２０と、紫外線反射部２２とを備える。第一の気流制御板１８２の空気流入口１０２に対向する面には、三次元繊維構造体２０が配設される。三次元繊維構造体２０は、ウィルス等を捕集するとともに、その表面上で筐体１０内の紫外線を乱反射させることで、効率的にウィルス等を殺菌する。
本実施形態の紫外線殺菌装置１は、気流の進行方向に対向する筐体内壁面に沿って三次元繊維構造体２０を備えるため、三次元繊維構造体２０が気流の抵抗となりにくく、効率的に空気を殺菌処理することができる。
【００１７】
また図３に示すように、本実施形態の室内還流型紫外線殺菌装置３０は、上述の紫外線殺菌装置１と、風量装置３２と、吹出口３６と、ダクト３８（第一のダクト３８２、第二のダクト３８４）と、を備える。室内還流型紫外線殺菌装置３０は、紫外線殺菌装置１を天井裏に配設し、さらに紫外線殺菌灯１４を紫外線殺菌装置１の筐体１０内部に配設するため、紫外線が部屋の内部に漏出することを抑止する。また、室内還流型紫外線殺菌装置３０は、その構成要素を天井裏に配設するため、居住空間を圧迫せず、室内の静音性を維持する。
【００１８】
風量装置３２と吹出口３６は離間しているため、紫外線殺菌装置１により浄化された空気が、再度風量装置３２に取り込まれることが起こりにくく、効率的に殺菌を行うことができる。
また、風量装置３２と、吹出口３６と、紫外線殺菌装置１とが、ダクト３８により介設されているため、風量装置３２、吹出口３６、紫外線殺菌装置１それぞれの配置設計の自由度が高く、またこれらの配設箇所の変更が容易である。
そして、風量装置３２には送風量の大きい送風ファン３４を用いているため、大量の空気を処理することができ、広い室内の換気・殺菌処理を行うことができる。
【００１９】
（実施形態の詳細）
以下、本実施形態の紫外線殺菌装置１と、紫外線殺菌装置１を含む室内還流型紫外線殺菌装置３０について図面を参照しつつ説明する。
【００２０】
＜紫外線殺菌装置１＞
図１に示すように、本実施形態の紫外線殺菌装置１は、空気流入口１０２および空気流出口１０４を有する筐体１０を備える。そして、筐体１０は内部に紫外線殺菌灯１４と、殺菌灯保持部１６と、気流制御部材１８（第一の気流制御板１８２、第二の気流制御板１８４）と、三次元繊維構造体２０と、紫外線反射部２２とを備える。
【００２１】
本実施形態の紫外線殺菌装置１は、屋内の遮蔽箇所に配設される。ここで、屋内の遮蔽箇所とは、建物内であって人が通常立ち入らない箇所を指す。屋内の遮蔽箇所について例示すると、天井裏や、パイプスペースのような壁面裏側に設けられた空間、あるいは床下を指す。このような場所に配設されることで、紫外線が居住空間に漏出することを防止する。また、紫外線殺菌装置１が大量の空気を処理しても居住空間の静音性が保たれる。
後述する風量装置３２や吹出口３６を天井に埋設することが好ましいため、紫外線殺菌装置１も天井裏に配設することが好ましい。この場合、ダクト３８の長さを節約できるため経済的であり、メンテナンス性に優れる。
【００２２】
＜筐体１０＞
筐体１０は、紫外線殺菌装置１の外殻を構成する、中空の箱である。筐体１０は空気流入口１０２と、空気流出口１０４を備える。空気流入口１０２と空気流出口１０４はそれぞれ筐体１０に開けられた孔である。本実施形態において、空気流入口１０２と空気流出口１０４は円形の孔である。空気流入口１０２から流入する空気が中空の筐体１０内部を通過し、空気流出口１０４から流出する。
空気流入口１０２と空気流出口１０４にはそれぞれダクト連結部１２が隙間なく接続しており、当該ダクト連結部１２には後述するダクト３８が連結する。
【００２３】
筐体１０は例えば金属製の箱である。本実施形態において、筐体１０はステンレス製である。筐体１０を金属製にすることで、後述する紫外線殺菌灯１４が出射する紫外線が筐体１０内で繰り返し反射し、浮遊するウィルス等をより効率的に殺菌する。
【００２４】
＜紫外線殺菌灯１４＞
紫外線殺菌灯１４は、２００ナノメートル以上３００ナノメートル以下の波長範囲にピーク波長を有する紫外線を出射する光源である。ピーク波長とは、紫外線の発光強度が最大となる波長を意味する。
【００２５】
図１に示すように、本実施形態の紫外線殺菌灯１４は長尺状の殺菌灯である。本実施形態における紫外線殺菌灯１４は筐体１０内部にあって、筐体の長手方向に沿う形で配設される。また、紫外線殺菌灯１４は筐体１０内壁に固設される殺菌灯保持部１６により保持される。
【００２６】
本実施形態における紫外線殺菌灯１４に用いられるガラス管は２００ナノメートルから３００ナノメートルの波長の紫外線を効率的に透過する一方で、２００ナノメートル以下の紫外線をほとんど遮断する。そのため、本実施形態の紫外線殺菌灯１４は、オゾンまたはイオンをほとんど外部に放出しない。
【００２７】
ここで、紫外線の殺菌作用は、波長２５３．７ナノメートル付近が最も強く、その殺菌力は直射日光にも含まれている波長３５０ナノメートルの紫外照射の約１６００倍にも達する。
【００２８】
よって、紫外線殺菌灯１４が出射する紫外線のピーク波長は２００ナノメートル以上３００ナノメートル以下の波長範囲にあることが好ましく、２４４ナノメートル以上２６４ナノメートル以下の波長範囲にあることがより好ましい。
本実施形態における紫外線殺菌灯１４が出射する紫外線は、ピーク波長が２５３ナノメートルにある。本実施形態の紫外線殺菌灯１４の分光分布は、２５３ナノメートルの波長の発光強度を１００％とした場合、２００ナノメートル以下の波長における発光強度は１０％未満である。
【００２９】
＜気流制御部材１８＞
気流制御部材１８は、筐体１０内部に配設され、筐体１０内の気流を制御する部材である。気流制御部材１８は筐体１０内壁と共に、流入する空気の流路を形成する。気流制御部材１８として例えば、金属板が挙げられる。ただし気流制御部材１８は金属に限られるものではなく、紫外線を透過するプラスチック材料であってもよい。
【００３０】
本実施形態の紫外線殺菌装置１は、気流制御部材１８として第一の気流制御板１８２と第二の気流制御板１８４とを備える。図１に示すように、本実施形態の第一の気流制御板１８２と第二の気流制御板１８４はそれぞれｙ−ｚ平面を有し、筐体１０内壁と共に、空気の流路を形成する。第一の気流制御板１８２、第二の気流制御板１８４ともに、ステンレス製の板である。
【００３１】
＜第一の気流制御板１８２＞
図１に示すように、本実施形態の第一の気流制御板１８２は空気流入口１０２の軸方向に対向する面を有し、かつ空気流入口１０２から離間した位置に配設される気流制御部材である。
【００３２】
空気流入口１０２からｘ軸略正方向に流入した空気は、第一の気流制御板１８２に衝突し、流れる方向をｙ軸略正方向に転換する。その後、気流は筐体１０下側の内壁に衝突し、再びｘ軸略正方向に進む。言い換えると、流入した空気は第一の気流制御板１８２により、クランク型の流路を形成する。
【００３３】
ここで、空気流入口１０２の軸方向に対向する面とは、空気流入口１０２の中心軸の延長線と交わる第一の気流制御板１８２の面であって、空気流入口１０２側の面を意味する。軸方向に対向する面は、当該軸方向と略直交する面であることが好ましい（後述）。
【００３４】
図１を例に説明すると、空気流入口１０２の中心軸はｘ軸に平行である。よって、第一の気流制御板１８２における空気流入口１０２の軸方向に対向する面とは、第一の気流制御板１８２のｙ−ｚ平面で形成される面のうち、空気流入口１０２側の面を指す。
【００３５】
＜第二の気流制御板１８４＞
第二の気流制御板１８４は、空気流出口１０４の軸方向に対向する面を有し、かつ空気流出口１０４から離間した位置に配設される気流制御部材である。
上述した第一の気流制御板１８２の脇を通過してｘ軸略正方向に進行する気流は、続いて第二の気流制御板１８４に衝突し、今度はｙ軸略負方向に進む。その後、気流は筐体１０上側の内壁に衝突し、再びｘ軸略正方向に進む。言い換えると、侵入した空気は再度クランク型の流路を形成する。
【００３６】
空気流入口１０２から筐体１０内部に流入する空気は、第一の気流制御板１８２、第二の気流制御板１８４により、略Ｓ字の流路を描いて空気流出口１０４に至る。第一の気流制御板１８２および第二の気流制御板１８４により、筐体１０内を流れる空気の流路が長くなるため、ウィルス等を含む空気はより長時間紫外線を照射されることになる。これにより、第一の気流制御板１８２および第二の気流制御板１８４が無い場合と比べ、本実施形態の紫外線殺菌装置１は殺菌効率が向上する。
【００３７】
ここで、気流制御部材を配設する角度について補足する。図１に示すように、ｘ−ｙ平面において、筐体１０内壁と、気流制御部材１８（ここでは第一の気流制御板１８２）とが成す角度を流路角度αとする。
【００３８】
図１における流路角度αは９０度である。ただし、流路角度は常に９０度に限定されるものではなく、上記の機能を発揮する角度であれば良い。ただし、効率的にウィルス等を捕集し、殺菌効率を上げるため、流路角度は９０度から１３５度の間がより好ましい。さらに、流路角度が９０度に近く、気流の進行方向と、気流の進行方向に対向する筐体１０内壁面とが略直交することがより好ましい。
【００３９】
なお、流路角度が９０度より極端に小さくなると（例えば４５度）、気流制御部材１８と筐体１０内壁とによる導風路が袋小路を形成することになるため、好ましくない。しかし図８のように、気流制御板が筐体１０側壁面（ｘ−ｚ平面またはｙ−ｚ平面）と接しない場合は袋小路が形成されないため、この限りではない。
【００４０】
＜三次元繊維構造体２０＞
三次元繊維構造体２０は、三次元網目構造を備える繊維状部材である。また、三次元繊維構造体２０はウィルスまたは細菌を捕集する空孔を備える。
本実施形態において、三次元繊維構造体２０は板状のロックウールである。本実施形態のロックウールは孔径が０．０１マイクロメートル以上２マイクロメートル以下の空孔を有する。
【００４１】
なお、孔径は例えば電子顕微鏡による観察や、ＰＭＩ（Ｐｏｒｏｕｓ  Ｍａｔｅｒｉａｌｓ，Ｉｎｃ）社製のパームポロメーターを用いて細孔径分布を測定することにより求めることができる。ウィルス核の大きさが約０．０１マイクロメートルであり、またウィルス核が水分に取り込まれたウィルス飛沫の大きさが約２マイクロメートルであるため、上記大きさの空孔を有する素材は効率的にウィルス等を捕集する。
ここで、ウィルスまたは細菌とは、三次元繊維構造体２０により捕集可能な、室内空気の汚染原因となる微生物を含む。
【００４２】
また、三次元繊維構造体２０は、少なくとも前記紫外線殺菌灯が出射する紫外線を乱反射する表面を備える。ここで少なくともとは、三次元繊維構造体２０がその立体構造上、表面に限らず、表面近傍の構造体内部においても紫外線を反射することから、紫外線反射部位が表面のみに限られないことを意味する。三次元繊維構造体２０は表面および表面近傍で紫外線を乱反射させるため、捕集したウィルス等に様々な角度から紫外線を照射することができ、効率的に殺菌することができる。
【００４３】
三次元繊維構造体２０は、気流の進行方向に対向する筐体内壁面に沿って配設される。図１に示すように、本実施形態の三次元繊維構造体２０は、第一の気流制御板１８２の空気流入口１０２側の面に沿って配設される。
ここで、三次元繊維構造体２０を筐体１０内壁や気流制御部材１８に固定する方法は限定されないが、例えば、接着剤やスピンドルピンを用いて固定することができる。
【００４４】
空気流入口１０２からｘ軸略正方向に流入した空気は、第一の気流制御板１８２上に配設された三次元繊維構造体２０に衝突する。その衝突の際に、空気に含まれるウィルス等が三次元繊維構造体２０の空孔に捕集される。一方、気流は衝突により向きを変え、ｙ軸略正方向に進行する。
【００４５】
ここで、気流の進行方向に対向する面とは、気流の進行方向に交わる面であって、気流の流入元側の面を意味する。上述したように、気流の進行方向に対向する面は、当該気流の進行方向と略直交する面であることが好ましい。
【００４６】
図１を例に説明すると、筐体内に流入する気流はｘ軸正方向に向かうことから、第一の気流制御板１８２における気流の向きに対向する面とは、第一の気流制御板１８２のｙ−ｚ平面で形成される面のうち、空気流入口１０２側の面を指す。
【００４７】
筐体内壁面とは、筐体１０の内壁のほか、気流制御部材１８により形成される面を意味する。
筐体内壁面に沿って配設されるとは、筐体内壁面が形成する導風路に直交する態様、すなわち導風路を塞ぐ態様で配設されるのではなく、壁面に衝突した気流が進行方向を変えたのち、その進行方向に沿う態様で配設されることを意味する。
【００４８】
よって、気流の進行方向に対向する筐体内壁面に沿って配設されるとは、筐体内壁面に沿って配設されればどこでもよい訳ではなく、気流の進行方向に対向し、気流が衝突する筐体内壁面であって、気流が進行方向を変える面に配設されることが好ましい。これ以外の面、例えば筐体１０の内壁全面に配設すると、三次元繊維構造体２０そのものが空気抵抗となり得るからである。以下、図２を用いて説明する。
【００４９】
図２は気流と気流の進行方向に対向する筐体内壁面を説明するための参考図である。図２において、紫外線殺菌灯１４や紫外線反射部２２の描画は省略している。アからカの文字を付した点線の楕円は、気流の進行方向に対向する筐体内壁面を例示するものである。
気流はこれらの壁面に衝突し、進行方向を変える。図２中のアからカの場所にある壁面は、そのほかの筐体内壁面と比較し、気流の進行方向に対向するため、この場所に三次元繊維構造体２０を配設することで、ウィルス等を捕集しやすくなる。
【００５０】
三次元繊維構造体２０は、気流の進行方向に対向する筐体内壁面に沿って配設すればよいため、例えば第二の気流制御板１８４の空気流入口１０２側の面（図２中ウの箇所）に沿って配設しても良い。
【００５１】
しかしながら、筐体内において空気流入口１０２に近いほど空気の流速が大きいため、より空気流入口１０２に近い箇所に三次元繊維構造体２０を配設することが好ましい。筐体内において最も空気の流速が大きい場所は空気流入口１０２付近（図２中のアの箇所）であるため、空気流入口１０２に最も近い第一の気流制御板１８２の空気流入口１０２側に三次元繊維構造体２０を配設することが処理効率上最も好ましい。
【００５２】
以上述べたように、三次元繊維構造体２０は筐体内壁面に沿って配設されるため、気流の進路を阻害しないことが要点である。上述したように、三次元繊維構造体２０を処理すべき空気の流れに直交する態様で配設した場合、三次元繊維構造体２０そのものが空気抵抗となるため、空気の処理量が著しく低下し、大量の空気を効率的に殺菌・浄化することができない。例えば濾過フィルタのような、導風路を塞ぐ態様で配設される場合と比較すると、三次元繊維構造体２０は気流を阻害することなく、効率的にウィルス等を捕集することができる。
よって、三次元繊維構造体２０は気流の進行方向に対向する筐体内壁面に沿って配設され、かつ気流の進行方向に直交しない態様で配設される。
【００５３】
なお、図１を例に挙げると、三次元繊維構造体２０はｘ軸方向の厚みを有するため、気流の進路を完全に阻害しない訳ではない。この点について、「導風路の断面積」を定義して補足する。
ここで導風路は、筐体１０の内壁や気流制御部材１８で構成される気流の流路である。導風路の断面積とは、導風路内の任意の場所における、気流の向きに直交する断面の面積である。
【００５４】
三次元繊維構造体２０を配設すべき場所における、三次元繊維構造体２０配設前の導風路の断面積を１００％とし、配設後の当該断面積を考える。
例えば比較例に挙げた上記濾過フィルタの場合、空気を濾過することが目的となるため、当該濾過フィルタが導風路の断面積を占める割合は１００％となる。
【００５５】
一方、本実施形態において、三次元繊維構造体２０が当該断面積を占める割合は２０％以下であることが好ましく、１５％以下であることがより好ましい。殺菌効率を損なわない範囲において、三次元繊維構造体２０が導風路を占める割合が低くなるにしたがって、紫外線殺菌装置１が処理できる空気の量が多くなるためである。
【００５６】
三次元繊維構造体２０は構造上多数の凹凸を有するため、表面および表面近傍で紫外線を乱反射する。三次元繊維構造体２０の表面および表面近傍で繰り返し反射する紫外線は、空孔に捕集されたウィルス等を死滅させる。よって、三次元繊維構造体２０は紫外線を反射しやすいものが好ましい。
【００５７】
また、三次元繊維構造体２０は気流が衝突する箇所に配設されることから、緩衝材としても作用し、大量の空気が流通する際に生じる音を緩和できる部材で形成されることが好ましい。三次元繊維構造体２０に用いる素材として例えば、ロックウールやグラスウールのほか、金属光沢を有する繊維状のスチールウール等が挙げられる。これらの中では、耐久性や特に消音性に優れるロックウールが最も好ましい。
【００５８】
以上のように、本実施形態の三次元繊維構造体２０は、ウィルス等を捕集するとともに、筐体１０内の紫外線を乱反射させることで、効率的にウィルス等を殺菌する。さらに、三次元繊維構造体２０は空気流入口１０２から取り込まれる空気を全面で受け止め、気体通過により発生する音を低減することができる。
即ち、本実施形態の三次元繊維構造体２０は、ウィルス等の捕集、紫外線反射による殺菌、および静音性を鼎立する。
【００５９】
＜紫外線反射部２２＞
紫外線反射部２２は、紫外線を反射するための部材である。紫外線反射部２２は筐体１０内部に配設される。紫外線反射部２２は紫外線殺菌灯１４が出射する紫外線を効率よく反射する。本実施形態の紫外線反射部２２は、紫外線反射率が高いアルミニウムを用いた紫外線反射鏡（以下「反射ミラー」と称する。）である。
【００６０】
図１に示すように、本実施形態における反射ミラーは筐体１０側面（紙面の上側）の空気流出口１０４側に配設され、ｘ−ｚ平面を有する。ここで、本実施形態の紫外線殺菌装置１は筐体１０が金属製であるため、筐体１０の内壁そのものが紫外線を反射するが、紫外線反射率がより高い反射ミラーを用いることでより効率的に紫外線を反射する。紫外線を減衰させることなく反射させることで、空気中のウィルス等を効率的に殺菌することが可能となる。
【００６１】
なお、紫外線反射部２２は反射ミラーに限られるものではなく、反射ミラーに代わり、筐体１０内部や気流制御部材１８を鏡面加工したものを用いても良い。繰り返し筐体１０内に紫外線を反射させ、殺菌効率を向上させるため、紫外線反射部２２の紫外線反射率（波長２５３ナノメートル）は８０％以上であることが好ましく、９０％以上であることがより好ましい。
【００６２】
以上のような構成により、本実施形態に係る紫外線殺菌装置１は以下の利点がある。
本実施形態に係る紫外線殺菌装置１は、気流の進行方向に対向する筐体内壁面に沿って三次元繊維構造体２０を配設するため、三次元繊維構造体２０が気流の抵抗となりにくく、効率的に空気を殺菌処理することができる。
三次元繊維構造体２０は、ウィルス等を捕集するとともに、紫外線を乱反射させることで、効率的にウィルス等を殺菌する。また三次元繊維構造体２０により、気流が筐体１０内を通過する際に生じる音を低減させることができる。
【００６３】
紫外線殺菌灯１４は、２００ナノメートル以上３００ナノメートル以下の波長範囲にピーク波長を有し、オゾンをほとんど発生しない。また紫外線殺菌灯１４が出射する紫外線は殺菌力の高い２５３．７ナノメートル近傍にピーク波長を有する。
また、筐体１０に金属を用いることにより、紫外線殺菌装置１は紫外線を減衰させることなく導風路内で繰り返し反射させ、効率的に殺菌することができる。筐体内に紫外線反射部２２を配設することにより、さらに殺菌効率を向上させることができる。
さらに気流制御部材１８を筐体１０内部に配設することにより、筐体１０内を流れる空気の流路が長くなるため、ウィルス等を含む空気はより長時間紫外線を照射されることになり、殺菌効率が向上する。
【００６４】
＜室内還流型紫外線殺菌装置３０＞
図３は、本実施形態の室内還流型紫外線殺菌装置３０を示したものである。天井Ｃを境に、紙面下側が部屋側、紙面上側が天井裏を示す。室内還流型紫外線殺菌装置３０は、上述した紫外線殺菌装置１と、風量装置３２と、吹出口３６と、ダクト３８（第一のダクト３８２、第二のダクト３８４）と、を備える。風量装置３２により取り込まれた空気は、第一のダクト３８２、紫外線殺菌装置１、第二のダクト３８４、吹出口３６をこの順に通過する。これらの装置が組み合わさることにより、広い空間の空気を効率的に殺菌・浄化することができる。なお、送風ファン３４は筐体１０内部に配設されることを図中の点線で示す。
【００６５】
＜風量装置３２＞
風量装置３２は、天井、壁面または床に埋設され、かつ送風ファン３４を内設する筐体を備える。本実施形態において、風量装置３２の筐体部分は天井に埋設され、部屋側（図面下側）に開口部Ｐを有する。また、風量装置３２の筐体部分は、後述するダクト３８に通じる孔を備える。
【００６６】
送風ファン３４はファン（回転翼）の回転により気流を発生させる。風量装置３２は送風ファン３４を回転させることにより、ウィルス等が含まれる部屋の空気を取り込み、ダクト３８を通じて紫外線殺菌装置１に空気を運搬する。
【００６７】
風量装置３２を天井に埋設することで、居住空間を圧迫することなく、かつ効率的に紫外線殺菌装置１に空気を送り込むことができる。風量装置３２は壁面や床に埋設しても良いが、この場合、埃等を吸い込みやすくなるため、天井に埋設されることが好ましい。
なお、図３では送風ファン３４が紙面に沿って回転し、紙面手前から奥に送風する態様で記載しているが、これに限られるものではなく、送風ファンの回転方向は紙面に直交し、紙面の下から上に送風するものであっても良い。
【００６８】
風量装置３２の送風量は１時間あたり９０立方メートルである。風量装置３２の送風量は１時間あたり７５立方メートル以上であることが好ましく、９０立方メートル以上であることがより好ましい。これより送風量が低いと、屋内の一室全体を空気殺菌する出力として不十分であり効率的ではない。
なお、送風量はダクト径などにより制限され、減衰する。例えば、処理された空気が後述する吹出口３６から室内に戻る際の送風量は半分以下に低下する。
【００６９】
このような風量装置３２の処理能力や、ダクトによる送風量の減衰などを考慮して紫外線殺菌装置１が設計される。例えば、紫外線殺菌装置１の筐体１０内部において、必要以上に空気の流路を長くすると、処理効率が低下する（後述）。また、紫外線殺菌装置１の筐体１０内部を金属以外で形成すると、紫外線の反射率が落ちるため、処理すべき空気が筐体１０内を通過する間に十分な殺菌を行うことが出来ない。
【００７０】
＜吹出口３６＞
吹出口３６は、天井、壁面または床に埋設される筐体を備える。本実施形態における吹出口３６の筐体は、部屋側に開口部Ｑを有する。また、吹出口３６は、開口部Ｑとは別に、ダクト３８に通じる孔を備える。吹出口３６は、紫外線殺菌装置１により浄化された空気を部屋の内部に還元する。
【００７１】
吹出口３６は壁面や床に埋設しても良いが、この場合、埃等を舞い上げる可能性があるため、吹出口３６は天井に埋設することが好ましい。
また、吹出口３６はその筐体内部にファンを備えても良い。この場合、空気処理量が向上する。
【００７２】
ここで、風量装置３２と吹出口３６は離間して配設することが好ましい。風量装置３２と吹出口３６を近い位置に配設する場合、紫外線殺菌装置１により浄化された空気が、再度風量装置３２に取り込まれるためである。
本実施形態の室内還流型紫外線殺菌装置３０は、風量装置３２と吹出口３６が独立しているため、部屋内部の気流設計や部屋のデザインに合わせて、風量装置３２および吹出口３６の配置を自由に設計することができる。
【００７３】
＜ダクト３８＞
ダクト３８は、空気の流路を形成する中空管である。ダクト３８は、風量装置３２と紫外線殺菌装置１との間、あるいは紫外線殺菌装置１と吹出口３６との間に介設される。ダクト３８は風量装置３２によって取り込まれた空気を紫外線殺菌装置１まで運搬し、また、紫外線殺菌装置１で浄化された空気を吹出口３６まで運搬する。
【００７４】
本実施形態のダクト３８は円筒形状であるが、これに限られるものではなく、角筒形状でも良い。また、本実施形態のダクト３８は蛇腹を有するビニル管であるが、これに限られるものではなく、金属管やビニル以外のプラスチック管であっても良い。
【００７５】
本実施形態のダクト３８は、第一のダクト３８２と第二のダクト３８４を備える。
第一のダクト３８２は、風量装置３２と、紫外線殺菌装置１の空気流入口１０２とを接続し、紫外線殺菌装置１の空気流入口１０２側に空気の流路を形成する。
第二のダクト３８４は、紫外線殺菌装置１の空気流出口１０４と吹出口３６とを接続し、紫外線殺菌装置１の空気流出口１０４側に空気の流路を形成する。
【００７６】
なお、第一のダクト３８２または第二のダクト３８４を省略し、例えば風量装置３２と紫外線殺菌装置１、または紫外線装置１と吹出口３６を一体化しても良いが、風量装置３２と吹出口３６を離間させるため、第一のダクト３８２と第二のダクト３８４の双方を用いることがより好ましい。
【００７７】
本実施形態の風量装置３２と紫外線殺菌装置１、紫外線殺菌装置１と吹出口３６はそれぞれダクト３８により介設される。このため、風量装置３２、吹出口３６、および紫外線殺菌装置１それぞれの配置設計の自由度が高く、またこれらの配設箇所の変更が容易であるという効果を有する。風量装置３２、吹出口３６、紫外線殺菌装置１それぞれの筐体はそのままに、ダクト３８の長さや配置の変更で対応できるためである。
風量装置３２と、吹出口３６と、紫外線殺菌装置１のうち、いずれか２つ以上が一体化している装置と比較して、それぞれが独立している場合、配置設計の自由度や配設箇所の変更容易性はより顕著である。
【００７８】
図４は、本実施形態の室内還流型紫外線殺菌装置３０の配置例を示す参考図である（３Ｄデータによる斜視図）。室内還流型紫外線殺菌装置３０を部屋の天井裏に配設した状態を示す。天井を記号Ｃ、部屋の出入口を記号Ｄで表す。
図４において、第一のダクト３８４、第二のダクト３８４がそれぞれ途中で屈曲している。これは、天井裏に本実施形態の室内還流型紫外線殺菌装置３０以外の設備（例えば配電設備、給水管など）があった場合でも、ダクト３８を用いることにより、これらを避けて室内還流型紫外線殺菌装置３０を配設することが出来ることを示す例である。
【００７９】
以上のような構成により、本実施形態に係る室内還流型紫外線殺菌装置３０は以下の利点がある。
紫外線殺菌装置１は天井裏に配設され、かつ紫外線殺菌灯１４が紫外線殺菌装置１の筐体１０内部に配設されるため、紫外線が部屋の内部に漏れることが無く、空気の流通による音が抑制され、また装置自体が居住空間を圧迫しないという利点がある。
【００８０】
また、風量装置３２と吹出口３６とが離間しているため、紫外線殺菌装置１により浄化された空気が、再度風量装置３２に取り込まれることが起こりにくく、効率的に殺菌を行うことができる。
ダクト３８を採用することにより、風量装置３２、吹出口３６、および紫外線殺菌装置１それぞれの配置設計の自由度が高く、またこれらの配設箇所の変更が容易である。
さらに、送風量の大きい送風ファン３４を用いているため、大量の空気を処理することができ、広い室内の換気・殺菌処理が容易である。
【００８１】
また上述した通り、紫外線殺菌装置１において、気流の進行方向に対向する筐体内壁面に沿って三次元繊維構造体２０を配設するため、三次元繊維構造体２０が気流の抵抗となりにくく、効率的に大量の空気を殺菌処理することができる。また三次元繊維構造体２０に適切な素材を用いることにより、空気の流通時に生じる音を低減させることが可能となる。筐体１０に金属を用い、または紫外線反射部２２を内設することにより、紫外線殺菌装置１は紫外線を減衰させることなく導風路内で繰り返し反射させ、より効率的に殺菌することができる。
【００８２】
以上の構成により、本実施形態に係る室内還流型紫外線殺菌装置３０は、送風量の大きい風量装置３２により取り込んだ大量の空気を、効率的に殺菌処理することが可能になるという効果がある。
（実施例）
【００８３】
以下、室内還流型紫外線殺菌装置３０の具体例を示す。
本実施例の紫外線殺菌装置１は、筐体１０内部の大きさが幅４５０ミリメートル、奥行き２５０ミリメートル、高さ１８０ミリメートルである。筐体１０内壁面や気流制御部材１８の厚みは省略する。
【００８４】
本実施例の風量装置３２の送風量は１時間当たり９０立方メートルである。また、本実施例のダクト３８は、円筒形の管や継手配管で構成される。円筒形の管は、その内径（ファイとも表記される）が１００ミリメートルである。そして、風量装置３２の中心から吹出口３６の中心までの距離は５メートルである。
【００８５】
本実施例の紫外線殺菌装置１において、空気流入口１０２から第一の気流制御板１８２までの距離（ｘ軸方向の距離）は１２０ミリメートルである。第一の気流制御板１８２の空気流入口１０２側には三次元繊維構造体２０として板状のロックウールが配設される。
ロックウールは、第一の気流制御板１８２上に１５ミリメートルの厚みで配設される。この場合、導風路としてｘ軸方向に１０５ミリメートルの幅が確保されているため、三次元繊維構造体２０が導風路の断面積を占める割合は１２．５％である。
【００８６】
第一の気流制御板１８２の大きさは、幅１１０ミリメートル、高さ１８０ミリメートルである。第二の気流制御板１８４の大きさは、幅１７０ミリメートル、高さ１８０ミリメートルである。どちらの気流制御部材も、筐体１０上面部または底面部との間に隙間は存在しない。
空気流出口１０４から第二の気流制御板１８４までの距離（ｘ軸方向の距離）は８０ミリメートルである。
本実施形態において、紫外線殺菌灯１４はパナソニック社製のＧＬ−８（定格ランプ電力８ワット）を２本用いた。
【００８７】
本実施形態において、空気流入口１０２から入った空気が空気流出口１０４に至る時間は約２．３秒であった。本実施形態の紫外線殺菌装置１によると、１時間で３７立方メートルの空気を殺菌処理する。紫外線殺菌装置１の稼働直後における部屋内部（床面積８０立方メートル、高さ２．５メートル）の菌濃度を１００％としたとき、稼働２４時間後の菌濃度は１０％以下であった。
【００８８】
本実施形態の紫外線殺菌装置１は、２００立方メートルの空間あたり１台設置することが好ましい。この場合、空間内の殺菌を十分に行うことができる。
【００８９】
なお、ロックウールの厚み（配設時）を３０ミリメートル（導風路の断面積を占める割合が２５％）、２０ミリメートル（同１７％）、１５ミリメートル（同１３％）、１０ミリメートル（同８％）として殺菌量と処理風量を検討したところ、いずれも必要な殺菌量は確保し、厚みが薄くなるにしたがって処理風量が向上した。
一方、ロックウールの厚みを３０ミリメートルとした場合は、処理風量がやや低下した。また、導風路を塞ぐ態様でロックウール配設した場合（導風路の断面積を占める割合が１００％の場合）、処理風量が半分以下に低減した。
【００９０】
（変形例）
本発明は上述の実施形態に限られるものではなく、本発明の趣旨を逸脱しない範囲において、上述の実施形態に種々の変更を加えたものを含む。
以下、気流制御部材１８の配設する枚数や位置、角度等を変えた変形例を示す。図５から図８では、紫外線殺菌灯１４および紫外線反射部２２の描画を省略している。
【００９１】
（変形例１）
図５は気流制御部材１８として気流制御板が１枚だけ配設された紫外線殺菌装置１を示す図である。この場合も気流制御板の空気流入口１０２側の面に三次元繊維構造体２０を配設するため、ウィルス等を効率的に捕集することができる。
図５のように配設することで、空気の処理量を増加することができる。一方で、図１の紫外線殺菌装置１と比較すると、導風路が短くなる。よって、空気の処理量と殺菌時間のバランスを考えた場合、気流制御板を２枚配設する図１の紫外線殺菌装置１の方が殺菌効率は高く、より好ましい。
【００９２】
（変形例２）
図６は気流制御部材１８として気流制御板を採用し、その配設する向きを変えた紫外線殺菌装置１を示す図である。この場合、気流制御板１８は気流の進行方向に対向する筐体内壁面を持たないため、筐体１０の左側の内壁が気流の進行方向に対向する筐体内壁面となり、当該壁面に三次元繊維構造体２０を配設する。
図６の場合、ｘ軸正方向に進行した気流が一度ｘ軸負方向に流れることになるため、気流が筐体１０内に留まる時間が長くなり、殺菌時間は長くなる。一方で、空気の処理量は図１の場合と比較して低下する。よって、空気の処理量と殺菌時間のバランスを考えると、図１のような配置で気流制御板が配設された紫外線殺菌装置１の方が殺菌効率は高く、より好ましい。
【００９３】
（変形例３）
図７は気流制御部材１８として三角柱形状の部材を用いた紫外線殺菌装置１を示す図である。図７の紫外線殺菌装置１において、筐体１０内部の導風路を構成する筐体１０内壁面と、気流制御部材１８との角度（流路角度）αは１３５度である。
変形例３の態様は、空気の処理量が増加する。一方で、筐体１０内部における導風路の体積は減少し、いわゆるデッドスペースが多くなるため、殺菌時間は短い。よって、空気の処理量と殺菌時間のバランスを考えると、図１のように気流制御板が配設された紫外線殺菌装置１の方が殺菌効率は高く、より好ましい。
【００９４】
（変形例４）
図８は筐体１０内の側面に接していない気流制御板を備える紫外線殺菌装置１を示す図である。気流制御板を互い違いに配設する場合と比較して、処理できる空気量が増加する。一方で、図１の例と比較して導風路が短く、殺菌時間が短い。よって、空気の処理量と殺菌時間のバランスを考えると、図１のように気流制御板を互い違いに配設する紫外線殺菌装置１の方が殺菌効率は高く、より好ましい。
【００９５】
本実施形態において、筐体１０は金属製の筐体１０を用いたが、これに限られるものではなく、材料は適宜変更しても良い。ただし、殺菌効率を考慮すると、筐体１０内部は紫外線が繰り返し反射することが好ましいため、金属製にするか、非金属の筐体１０内部に反射ミラーを配設することが好ましい。
【００９６】
本実施形態において、紫外線殺菌灯１４は長尺状の殺菌灯を用いていたが、これに限られるものではなく、殺菌効果のある紫外線光源、特に殺菌作用が高い２５３ナノメートル付近の紫外線を出射する紫外線光源に適宜置き換えることができる。例えば、長尺状の殺菌灯の代わりに点光源である紫外線ＬＥＤを用いても良い。ただし、人体に影響し得るオゾンを発生しないものが好ましい。
また、本実施形態における紫外線殺菌灯１４は筐体１０の長手方向に沿う形で配設されていたが、これに限られるものではなく、筐体１０内で向きや位置を適宜変更しても良い。
【００９７】
本実施形態において、気流制御部材１８として気流制御板を２枚用いた例を挙げたが、気流制御部材１８の数はこれに限られない。気流制御部材１８の数は１つでも良く、また３つ以上であっても良い。ただし気流制御部材１８が１つの場合は、空気の流路が延びないため、気流制御部材１８は２つ以上が好ましい。一方で、気流制御部材１８が多すぎる場合は空気の流れが阻害され、大量の空気を処理できなくなることから、気流制御部材１８は空気の流れを阻害しない程度の数が好ましい。
【００９８】
例えば、図１のように互い違いに配設する場合、気流制御部材１８は５つ以下が好ましい。ここで互い違いとは、例えば図１のように、空気流入口１０２からｘ軸正方向に気流が向かう場合において、第一の気流制御板１８２がｙ軸正方向側に流路を確保し、つづく第二の気流制御板１８４がｙ軸負方向側に流路を確保するような態様をいう。
【００９９】
本実施形態において、紫外線殺菌装置１、風量装置３２、および吹出口３６はそれぞれ天井に埋設されるものであったが、これに限られるものではなく、それぞれ部屋の壁面や床に埋設されていても良い。
【０１００】
例えば、風量装置３２と吹出口３６を天井に埋設し、紫外線殺菌装置１のみを部屋の壁面（部屋の側面）内部のパイプスペースに配設しても良い（不図示）。また、部屋の壁面に風量装置３２と吹出口３６を埋設し、紫外線殺菌装置１のみ天井裏に配設しても良い（不図示）。
【０１０１】
紫外線殺菌装置１、風量装置３２、または吹出口３６を床下に配設する場合も同様であるため省略する。天井や壁面、床内部において確保できるスペースや部屋のデザインを考慮し、適宜変更することができる。
しかし、壁面や床に風量装置３２を配設すると、装置内にほこりの吸引しやすいことや、同じく壁面や床に吹出口３６を配設すると、ほこり等を拡散しやすくなるため、風量装置３２と吹出口３６は天井に配設することが好ましい。
【産業上の利用可能性】
【０１０２】
家庭やオフィス、病院、研究機関のほか、装置の大型化により体育館や工場といった場所に適用することができ、これらの場所における感染症拡大の予防に寄与することができる。
【符号の説明】
【０１０３】
１    紫外線殺菌装置
１０    筐体
１０２    空気流入口
１０４    空気流出口
１２    ダクト連結部
１４    紫外線殺菌灯
１６    殺菌灯保持部
１８    気流制御部材
１８２    第一の気流制御板
１８４    第二の気流制御板
２０    三次元繊維構造体
２２    紫外線反射部
３０    室内還流型紫外線殺菌装置
３２    風量装置
３４    送風ファン
３６    吹出口
３８    ダクト
３８２    第一のダクト
３８４    第二のダクト
α    流路角度
Ｃ    天井
Ｄ    出入口
Ｐ    開口部
Ｑ    開口部
【要約】
【課題】建物の一室といった、大量の空気中に含まれる細菌やウィルスを、紫外線殺菌灯により効率的に殺菌する。
【解決手段】本実施形態の紫外線殺菌装置１は、筐体１０内部に紫外線殺菌灯１４と、第一の気流制御板１８２と、第二の気流制御板１８４と、三次元繊維構造体２０とを備える。三次元繊維構造体２０は、第一の気流制御板１８２の空気流入口１０２側の面に配設される。本実施形態の三次元繊維構造体２０は、ウィルス等を捕集するとともに、その表面上で紫外線を乱反射させることで、効率的にウィルス等を殺菌する。
流入する気流の進行方向に対向する筐体内壁面に沿って三次元繊維構造体２０が配設されるため、三次元繊維構造体２０が気流の抵抗となることが無く、効率的に大量の空気を殺菌処理することができる。
【選択図】図１【図１】
0006913983.tif 000002
【図２】
0006913983.tif 000003
【図３】
0006913983.tif 000004
【図４】
0006913983.tif 000005
【図５】
0006913983.tif 000006
【図６】
0006913983.tif 000007
【図７】
0006913983.tif 000008
【図８】
0006913983.tif 000009